(57)【特許請求の範囲】
【請求項１】
床面に複数枚が敷設されて床を構成する床化粧材において、
床化粧材本体と、該床化粧材本体に重量を付加する重量物とを有し、
前記床化粧材本体は、多数の開口が設けられた基材と、この基材を床面に支持する複数本の脚部と、風の流通を遮断する帯板状の遮断部材とを備え、
前記遮断部材は、前記床化粧材本体の長手方向に沿って、前記基材の下部空間と前記床化粧材本体の側面とにそれぞれ配設され、
前記側面の遮断部材は、前記重量物を保持する保持部材を外側面に備え、該保持部材に重量物が添設されて、前記床化粧材本体の風による浮き上がりを防止することを特徴とする床化粧材。
【請求項２】
前記保持部材は、前記遮断部材と一体の凹溝状に形成されていることを特徴とする請求項１に記載の床化粧材。
【請求項３】
前記保持部材は、前記遮断部材の側面の複数箇所に、鉤形状に形成されていることを特徴とする請求項１に記載の床化粧材。
【発明の詳細な説明】
【技術分野】
【０００１】
本発明は、ベランダやバルコニー、屋上等の床面に敷設して使用する床化粧材に関する。
【背景技術】
【０００２】
ベランダやバルコニー、屋上等に床材を敷設してデッキを形成する技術には、従来、係止溝を備えた固定基板を根太上に複数個ねじ止めするとともに、バルコニー等の寸法に合わせて切断した長尺のデッキ材の裏面側の突条を固定基板の係止溝に圧入嵌合するなどの構造が提案されていた。
【０００３】
これに対し、近年では、例えば特許文献１に記載されているように、コンクリート等のスラブ上に床材を敷設して床面を覆う構成の床化粧材として、硬質合成樹脂材料を矩形状に成形した部材で、裏面側とスラブ面との間に排水空間を形成するための複数本の脚が一体形成されてなる床化粧材が提案されており、上面に合成樹脂またはタイル等の表面材を接着固定または一体成形した構造のユニット式床化粧材も実用化されている。
【０００４】
このようなユニット式床化粧材は、バルコニーやベランダ等の屋外に敷設した場合、床化粧材の下面側（裏面側）に風が吹き込むと、敷設した床化粧材の全体が捲れ上がってしまうことがあった。そこで、このような捲れ上がりを解消するために、例えば特許文献２に記載されているように、タイルユニットを敷設して床面を形成する際に、その床面周囲の少なくとも一部に透水性開口を有する合成樹脂製フロアマットを敷設して風の影響を軽減するという、タイルユニットの敷設構造も提案されている。
【０００５】
前記従来の床化粧材の敷設構造は、立ち上がり壁で囲まれたバルコニー等の床面に、表面材がタイル等の比較的重い床化粧材を敷設する場合にはある程度有効な手法となる。しかし、立ち上がり壁ではなく、手すりだけが設けられたバルコニーや風の強い高層マンションのバルコニーに、このような床化粧材を敷設した場合には、手すりを通り抜けた風が床化粧材の下面側に入り込んで床化粧材の全体が捲れ上がるという吹き上がり現象を起こしてしまうおそれがあった。また、このような問題は、高さがそれほどないパラペットが配設された屋上などに床化粧材を敷設する場合にも発生する可能性があった。
【０００６】
また、かかる床化粧材の敷設作業にあたっては、専門の施工業者が作業をする場合もあるが、住宅等の小規模の建物においては専門の施工業者ではなく個人で敷設作業をする場合も考えられるため、その施工性の良さや、メンテナンス、掃除の際の床化粧材の取り外し作業のしやすさ等も配慮する必要があった。
【０００７】
そこで、このような問題点を解消するために、特許文献３に記載されたような床化粧材も提案されている。この床化粧材は、図８に示すように、縦断面形が略コ字形の横長の床部材１０１を床化粧材１００の端部に嵌め込んで、床化粧材１００の下面に風が吹き込むのを防止するようになっている。また、床部材１０１には、下部に排水孔１０２が設けられており、床化粧材１００の下部に流入した雨水等を排水孔１０２から排出できるようになっている。
【特許文献１】実開平５−８５９２９号公報
【特許文献２】実開平７−１０１９１号公報
【特許文献３】特開平１０−１１５０７４号公報
【発明の開示】
【発明が解決しようとする課題】
【０００８】
しかし、前記床化粧材１００は、床部材１０１に設けられた排水孔１０２の開口率や風の強さによっては、この排水孔１０２からも風が浸入しやすくなるおそれがあった。
【０００９】
そこで、風の影響が強い場所では、床化粧材の下面側に風が入り込むおそれのあるこのような孔（開口）を床化粧材の側面にできるだけ設けず、なおかつその床化粧材が受ける風の影響を最小限に抑えて捲れ上がるのを防ぐことが求められていた。しかし、排水孔をできるだけ設けないようにしても、目地等の隙間から床化粧材下面に廻りこんだ空気が抜けずに床材表面と床材下部との間に気圧差が発生し、床化粧材全体の捲くれ上がりが起こった。
【００１０】
また、特許文献２のように透水性開口を有する合成樹脂製フロアマットを敷設した場合、敷設幅が小さいと隣接する床化粧材下面に入り込む風の割合が多くなり効果が無い。そのために、広い敷設幅が必要になり、外観上の見栄えが悪くなったり、経時的にごみや汚れが入り込みやすくなった。
【００１１】
また、床化粧材の敷設作業にあたっては、専門の施工業者が作業をする場合もあるが、住宅等の小規模の建物においては専門の施工業者ではなく個人で敷設作業をする場合も考えられるため、その施工性のよさや、メンテナンスあるいは掃除の際の床化粧材の取り外し作業のしやすさ等も配慮する必要があった。
【００１２】
そこで本発明は、上記のような問題点にかんがみてなされたものであり、バルコニーやベランダ等の床面をユニット式の床化粧材を敷設して形成するにあたり、床化粧材が受ける風の影響を最小限に抑えて捲れ上がるのを防ぎ、安全性、施工性および意匠性のいずれにも優れた床化粧材を提供することを目的としている。
【課題を解決するための手段】
【００１３】
前記の課題を達成するため、本発明は、床面に複数枚が敷設されて床を構成する床化粧材において、床化粧材本体と、該床化粧材本体に重量を付加する重量物とを有し、前記床化粧材本体は、多数の開口が設けられた基材と、この基材を床面に支持する複数本の脚部と、風の流通を遮断する帯板状の遮断部材とを備え、前記遮断部材は、前記床化粧材本体の長手方向に沿って、前記基材の下部空間と前記床化粧材本体の側面とにそれぞれ配設され、前記側面の遮断部材は、前記重量物を保持する保持部材を外側面に備え、該保持部材に重量物が添設されて、前記床化粧材本体の風による浮き上がりを防止することを特徴としている。
【００１５】
かかる特徴的構成を有する床化粧材によって、床化粧材本体の下面側へ流入した風は開口から上方へ抜け、また床化粧材本体の側部方向へは流通しないようにすることができるので、風により床化粧材に作用する浮力の発生を抑え、風の影響を軽減することができる。また、かかる床化粧材は、基材の開口から床面に雨水等を排水することができ、排水性も兼ね備えている。また、床化粧材本体には外側面に沿って重量物を容易に添設することができ、簡単な作業で風の影響をさらに軽減することが可能となる。
【００１９】
かかる保持部材は、前記遮断部材と一体の凹溝状に形成されていても、あるいは鉤形状に形成されて遮断部材の側面の複数箇所に一体に設けられていてもよい。
【００２０】
このような構成により、床化粧材を敷設した床面を安定的に保持するとともに、最小限の部材でもって風による吹き上がり現象を抑えることが可能になる。
【発明の効果】
【００２３】
上述のように構成される本発明の床化粧材およびその敷設構造によれば、床化粧材を敷設することによって形成した床における風の影響を最小限に抑えて、床化粧材が捲れ上がったり浮き上がったりするのを防ぎ、床化粧材を安定的に保持しつつ、下面側へ浸入した雨水等を排水することも可能となって、耐久性、安全性および意匠性のいずれにも優れたものとすることができる。
【発明を実施するための最良の形態】
【００２４】
以下、本発明に係る床化粧材を実施するための最良の形態について説明する。
【００２５】
本発明において、床化粧材１は住宅のベランダ、バルコニー、テラス、あるいは屋上スラブなどのように、屋外に設けられている床面３に敷設して床２を構成するのに用いられるものである。この床化粧材１には、風の影響による吹き上がり現象を防止するために、遮断部材１５が設けられている。かかる構成の床化粧材１および遮断部材１５の形態には多数のバリエーションがあるが、そのうちのいくつかについて以下の実施例で示す。
【実施例１】
【００２６】
本発明に係る床化粧材の前提となる参考例について図面を参照しつつ説明する。図１は参考例に係る床化粧材１の一形態を示す斜視図、図２は参考例に係る床化粧材１の敷設構造を示す平面図、図３，４は床化粧材１の変形例を示す斜視図である。
【００２７】
床化粧材１は床化粧材本体１０を有し、多数の開口が設けられた基材１１と、この基材１１を床面３に支持する複数本の脚部１２…１２を備えている。
【００２８】
例示の形態では、基材１１は、上面視縦長矩形状に形成され、周囲の枠組を構成する矩形のフレーム１３と、フレーム１３の内側に格子状あるいはクロスメッシュ状に形成された通気部１４を有し、多数の開口１４１が設けられている。この開口１４１により、基材１１の内外で、空気の流通および雨水等の排水が可能となっている。また、この基材１１の裏面側には、複数本の脚部１２…１２が均等配置されて、基材１１に対して一体的に備えられ、基材１１を床面３に支持している。
【００２９】
さらに、床化粧材本体１０は、基材１１の下部空間に、風の流通を遮断する遮断部材１５を備えている。遮断部材１５は、基材１１の裏面から床面３までの高さを有する帯板状部材で、基材１１および脚部１２…１２と一体に形成されている。
【００３０】
なお、この帯板状の遮断部材１５は、前記のように基材１１の裏面から床面３までの高さを有するように形成されるだけでなく、その排水性を考慮して、床面３との間に若干隙間を設けられるように形成されてもよい。
【００３１】
図１に例示する床化粧材１においては、この遮断部材１５は、基材１１の裏面にあって、床化粧材本体１０の長手方向に沿うように配設されている。また、遮断部材１５は、床化粧材本体１０の幅方向に対しては、隣り合う脚部１２、１２間に均等間隔で配設され、脚部１２を兼ねる位置に配設されている。この場合、基材１１の中央に配設された中央フレーム１３ａと、遮断部材１５とが一体に形成されて、通気部１４を幅方向に二分するような形態となっている。また、遮断部材１５は、隣接して敷設される床化粧材９から少なくとも１０ｍｍ以上離れた位置に配設されていることが好ましい。
【００３２】
かかる床化粧材本体１０は、成形容易性、耐久性等を備えたプラスチック、ゴム、ＦＲＰ等の合成樹脂系材料により形成されてもよいが、適度な重量を有することでより風の影響を軽減することが可能となるので、例えばステンレス、スチール等の金属を用いても、また合成樹脂成形品と金属あるいは合成樹脂成形品と無機質系材料とを一体成形したものを用いてもよい。
【００３３】
図２に示すように、このような構成の床化粧材１は、床面３に複数枚の床化粧材１、９を敷きつめて床２を構成するにあたり、床２の外周縁部に配置される敷設構造をとることが好ましい。
【００３４】
この場合、外周縁部を床化粧材１で取り囲み、側部からの風の流出入を遮るようにした床２では、その内側に配設される床化粧材９は、硬質合成樹脂を矩形状に成形した床材や、その上面に化粧面材を一体的に形成したものを用いることができる。
【００３５】
例えば、床化粧材９は、合成樹脂製の３０ｃｍ角の基材の上面に表面化粧材を一体にした部材で形成され、表面化粧材については、合成樹脂材による約１０ｃｍ角の連続模様で基材と一体に成形されたり、基材の上面に木質化粧材、レンガ、磁器タイル等の表面材を接着したりして形成されるなど、どのような形態のものであってもよい。また、これらの床化粧材１、９はそれぞれ適宜の雌雄連結部を備えて隣接する床化粧材１同士あるいは床化粧材９同士、または床化粧材１と床化粧材９とが互いに連結されて一体的に敷設されている。
【００３６】
このような敷設構造において、前記のように、床化粧材１には、遮断部材１５が設けられているので、この遮断部材１５が床２の外周縁部を取り囲むように連続的に配列されることになる。したがって、床２の側面から風が下部空間に入るのを防ぐ。また、床化粧材９において、床２の下部空間に風が入り込んだとしても、床化粧材１が配設された外周縁部において、遮断部材１５と通気部１４の作用により、開口１４１を通して風を上方へ逃がすので、床２に浮力を生じさせることがなく、床２の捲れ上がりを効果的に防止することができる。なお、床化粧材本体１０の幅（短辺方向の長さ）は、５０ｍｍ〜２５０ｍｍ程度で形成され、さらに好ましくは７５ｍｍ〜１５０ｍｍ程度で形成されていることにより、捲れ上がり防止効果を十分に発揮することができ、また意匠的にも優れたものとすることができる。
【００３７】
また、床化粧材本体１０を幅方向に二分するように遮断部材１５が配設されるのに加えて、図３に示すように、この遮断部材１５と平行に、床化粧材本体１０の長手方向の外側面に沿ってさらに遮断部材１５が設けられていてもよい。この外側面の遮断部材１５も、基材１１の裏面から床面３までの高さを有する帯板状部材で、基材１１および脚部１２と一体に形成されている。
【００３８】
さらに複数枚の遮断部材１５が設けられる構成であってもよい。複数枚の遮断部材１５を配設する場合には、排水孔を千鳥状に設けるようにすることが好ましい。
【００３９】
また、図４に示すように、床化粧材本体１０の幅方向の外側面にも遮断部材１５を一体に形成されてもよい。この場合、床化粧材本体１０の幅方向の外側面の約半部を覆うように遮断部材１５が設けられて、床化粧材本体１の隅角部に沿って配設されている。もちろん、床化粧材本体１０の幅方向の外側面の全体を覆うように遮断部材１５が設けられていてもよい。
【００４０】
上記いずれの形態の遮断部材１５を備えた床化粧材１であっても、前記のような敷設構造により外周縁部が遮断部材１５で塞がれることになるので、風が吹き付けても床２の側面から風が吹き込むことがなくなる。また、床２の下部空間に風が流入しても、遮断部材１５が風を上方へ導くとともに開口１４１から風を逃がして、床２の捲れ上がりを防止することができる。さらに、かかる床化粧材１を配設することにより、床２に降った雨水等を床面３に排水することができる。
【００４１】
したがって、床化粧材１が捲れ上がったり浮き上がったりするのを防止することができるとともに、排水性も確保することができ、床化粧材１を長期間にわたって安定した敷設状態で維持することが可能となる。
【実施例２】
【００４２】
次に、本発明に係る床化粧材の実施例について図面を参照しつつ説明する。図５及び図６は本発明の実施例に係る床化粧材をそれぞれ示す斜視図である。
【００４３】
なお、以下に説明する実施例の形態に係る床化粧材１は、床化粧材本体１０の基本構成が前記参考例とほぼ同様であり、遮断部材１５に特徴を有するものであるので、この遮断部材１５の構成について詳細に説明し、他の部分については上記参考例と共通の符号を用いて説明を省略する。
【００４４】
この遮断部材１５には、側面に沿って保持部材１６が設けられている。この保持部材１６は、床化粧材本体１０の風による浮き上がりを防止する重量物１７を、床化粧材本体１０に添設するのに用いる。
【００４５】
図５に示す床化粧材１では、保持部材１６は、床化粧材本体１０の側面に配設された遮断部材１５に形成されている。この場合、保持部材１６は、遮断部材１５と一体の凹溝状に形成されており、溝部１６１に重量物１７を嵌め込むことができるように構成されている。これにより、床化粧材本体１０には外側面に沿って重量物１７を添設でき、重量物１７の重量が付加されることで、風の影響をさらに軽減することが可能となっている。
【００４６】
例示の重量物１７は、無機質系材料からなるブロック体（無機質ブロック体）、あるいは無機質系材料からなる充填材（無機質充填材）をセメントや石膏または合成樹脂に練り混ぜて固めた複合成形体で構成されている。
【００４７】
より具体的には、無機質系材料としては、鉄、アルミニウム、銅、鉛などの金属あるいはその酸化物や、石膏、または粘土等を含むことが好ましい。また、無機質充填材としては、前記の金属またはその酸化物や、砂、ガラス等であることが好ましく、かかる充填材をセメントや石膏または熱硬化性樹脂等の合成樹脂で成形して複合成形体を形成することが好ましい。また、無機質充填材の形状は粒状や棒状などいかなる形状でもかまわない。重量物１７の嵩比重は、概ね１．５ｇ／ｃｍ3以上で、重ければ重いほど風による影響を軽減し、飛び防止および吹き上がり現象の防止効果を大きくすることができる。
【００４８】
また、図６に示すように、保持部材１６が鉤形状に形成されていてもよい。この場合、重量物１７の長さに対応できるように、保持部材１６は床化粧材本体１０の側面に沿って、長手方向に複数個、所定間隔で配設されて、遮断部材１５の側面に一体に設けられている。さらに、図７に示すように、鉤形状の保持部材１６が、床化粧材本体１０の中央に配設された遮断部材１５に対して設けられていてもよい。
【００４９】
このように鉤形状の保持部材１６を遮断部材１５の側面に一体に形成した場合にも、重量物１７を、複数個の保持部材１６に架け渡して嵌め込むことにより、床化粧材本体１０に重量物１７を容易に添設することができ、簡単な作業で風の影響をさらに軽減することが可能となる。
【００５０】
この実施例の場合、重量物１７は、保持部材１６にあらかじめ嵌め込んで床化粧材本体１０に添設されていても、また施工現場にて必要数の床化粧材本体１０の側面に重量物１７を嵌め込むようにしてもよく、構成する床２の大きさや、内側に配設される床化粧材９の風耐力等に応じて、材質や重量を適宜選択することができる。風耐力に応じて重量を増減したいときには、板状物の挿入枚数によって増減させてもよい。また、施工現場にて重量物１７を保持部材１６に嵌め込むようにすれば、施工現場までの床化粧材１の運搬も容易であり、汎用性が高められてより好ましいものとなる。
【００５１】
これにより、外周縁部に床化粧材１を配置して床２を構成することで、図２に示したように床２の外周縁部を遮断部材１５で取り囲んで連続的に塞いだ敷設構造をとることができ、床化粧材１の下面側に風が吹き込むことがなくなり、さらに重量物１７を添設しているので、その重量で床２の捲れ上がりを防止できる。また、風が床化粧材１の下面側に入り込むことがあっても、基材１１の開口１４１から上方へ風を逃がすので、床化粧材１が捲れ上がったり浮き上がったりするのを確実に防止することができるようになる。
【産業上の利用可能性】
【００５２】
本発明は、住宅等の建物におけるバルコニーやベランダ等の風の影響を受けやすい床面に敷設して好適に使用することができる。
【図面の簡単な説明】
【００５３】
【図１】本発明に係る床化粧材の参考例を示す斜視図である。
【図２】本発明に係る床化粧材の敷設構造を示す平面図である。
【図３】図１の床化粧材の変形例を示す斜視図である。
【図４】図１の床化粧材のさらに変形例を示す斜視図である。
【図５】本発明に係る床化粧材の実施例を示す斜視図である。
【図６】実施例に係る床化粧材の変形例を示す斜視図である。
【図７】参考例に係る床化粧材を示す斜視図である。
【図８】従来例の床化粧材を示す斜視図である。
【符号の説明】
【００５４】
１      床化粧材
１０    床化粧材本体
１１    基材
１２    脚部
１３    フレーム
１４    通気部
１４１  開口
１５    遮断部材
１６    保持部材
１７    重量物
２      床
３      床面
【図１】
0005166822.tif 000002
【図２】
0005166822.tif 000003
【図３】
0005166822.tif 000004
【図４】
0005166822.tif 000005
【図５】
0005166822.tif 000006
【図６】
0005166822.tif 000007
【図７】
0005166822.tif 000008
【図８】
0005166822.tif 000009